(57)【特許請求の範囲】
【請求項１】
第１の映像信号に第２の映像信号を格納する映像信号処理装置であって、
前記第２の映像信号を、単位クロックサイクル当たりの情報量が前記第２の映像信号の１／ｕ（ｕは２以上の整数）倍であり前記第１の映像信号と同じ周波数を有する前記第３の映像信号に変換する変換回路と、
前記第１の映像信号に前記第３の映像信号を格納する格納回路と
を有し、
前記変換回路は、
前記第２の映像信号の１水平走査期間のクロックサイクル数をｕで除算したときに、除算結果の整数部がｖ、当該除算結果の剰余がｚである場合に、各々がｖクロックサイクル分の前記第２の映像信号の情報を含む単数または複数の第１のモジュールと、各々が（ｖ＋ｘ（ｘは、ｘ≦ｚの整数））クロックサイクル分の前記第２の映像信号の情報を含む単数または複数の第２のモジュールとからなり、合計ｕ×ｖ＋ｚクロックサイクル分の前記第２の映像信号の情報が含まれるｕ個のモジュールと、前記第１のモジュールおよび前記第２のモジュールを識別する識別情報とを含む前記第３の映像信号を生成する
映像信号処理装置。
【請求項２】
前記格納回路は、前記ｕ個のモジュールを、前記第１の映像信号のｕ個の水平走査期間のそれぞれに格納する
請求項１に記載の映像信号処理装置。
【請求項３】
アナログの映像信号をデジタルに変換して前記第２の映像信号を生成する変換回路
をさらに有する請求項１に記載の映像信号処理装置。
【請求項４】
第１の映像信号はリターン信号であり、第２の映像信号はプロンプタ信号である
請求項１記載の映像信号処理装置。
【請求項５】
上記第２の映像信号は、４８フィールドまたは２４ｐｓＦ方式の映像信号である
請求項４記載の映像信号処理装置。
【請求項６】
上記ｕ個の水平走査期間の信号は連続する
請求項２記載の映像信号処理装置。
【請求項７】
上記ｖは６８７、上記ｘは１、上記ｕは４である
請求項１記載の映像信号処理装置。
【請求項８】
上記第１と第２のモジュールは４水平走査期間に交互に繰り替えす
請求項１記載の映像信号処理装置。
【請求項９】
第３の映像信号はデジタル信号で、上記第１の映像信号の１０ビットの下位２ビットに格納される
請求項１記載の映像信号処理装置。
【請求項１０】
第１の映像信号に対して第２の映像信号を変換して得られた第３の映像信号が格納されており、前記第３の映像信号が、前記第２の映像信号の１水平走査期間のクロックサイクル数をｕで除算したときに、除算結果の整数部がｖ、当該除算結果の剰余がｚである場合に、各々がｖクロックサイクル分の前記第２の映像信号の情報を含む単数または複数の第１のモジュールと、各々が（ｖ＋ｘ（ｘは、ｘ≦ｚの整数））クロックサイクル分の前記第２の映像信号の情報を含む単数または複数の第２のモジュールとからなり、合計ｕ×ｖ＋ｚクロックサイクル分の前記第２の映像信号の情報が含まれるｕ個のモジュールと、前記第１のモジュールおよび前記第２のモジュールを識別する識別情報とを含む場合に、前記第１の映像信号から前記第２の映像信号を復元する映像信号処理装置において、
前記第１の映像信号から前記第３の映像信号を分離する分離回路と、
前記分離された第３の映像信号に含まれる前記識別情報を検出する識別情報検出回路と、
前記識別情報の検出結果に基づいて、前記ｕ個のモジュールを用いて前記第２の映像信号を復元する信号生成回路と
を有する映像信号処理装置。
【請求項１１】
前記復元された第２の映像信号に応じた表示を行う表示手段
をさらに有する請求項１０に記載の映像信号処理装置。
【請求項１２】
前記第１の映像信号に応じた表示を行う表示手段
をさらに有する請求項１０に記載の映像信号処理装置。
【請求項１３】
撮像装置と、
前記撮像装置の撮像結果に応じた映像信号を用いて、前記撮像装置に出力する第１の映像信号を生成する映像信号生成装置と、
前記撮像装置と前記映像信号生成装置との間に介在する映像信号処理装置とを有し、
前記映像信号処理装置は、
第１の映像信号に第２の映像信号を格納する映像信号処理装置であって、
前記第２の映像信号を、単位クロックサイクル当たりの情報量が前記第２の映像信号の１／ｕ（ｕは２以上の整数）倍であり前記第１の映像信号と同じ周波数を有する前記第３の映像信号に変換する変換回路と、
前記第１の映像信号に前記第３の映像信号を格納する格納回路とを有し、
前記変換回路は、
前記第２の映像信号の１水平走査期間のクロックサイクル数をｕで除算したときに、除算結果の整数部がｖ、当該除算結果の剰余がｚである場合に、各々がｖクロックサイクル分の前記第２の映像信号の情報を含む単数または複数の第１のモジュールと、各々が（ｖ＋ｘ（ｘは、ｘ≦ｚの整数））クロックサイクル分の前記第２の映像信号の情報を含む単数または複数の第２のモジュールとからなり、合計ｕ×ｖ＋ｚクロックサイクル分の前記第２の映像信号の情報が含まれるｕ個のモジュールと、前記第１のモジュールおよび前記第２のモジュールを識別する識別情報とを含む前記第３の映像信号を生成する
映像信号処理システム。
【請求項１４】
前記格納回路は、前記ｕ個のモジュールを、前記第１の映像信号のｕ個の水平走査期間のそれぞれに格納する
請求項１３に記載の映像信号処理システム。
【請求項１５】
アナログの映像信号をデジタルに変換して前記第２の映像信号を生成する変換回路
をさらに有する請求項１３に記載の映像信号処理システム。
【請求項１６】
前記撮像装置は、
前記映像信号処理装置から入力された前記第３の映像信号から、前記第１の映像信号および前記第２の映像信号を分離する分離回路と、
前記分離された第１の映像信号に応じた表示を行う第１の表示装置と、
前記分離された第２の映像信号に応じた表示を行う第２の表示装置と
を有する請求項１３に記載の映像信号処理システム。
【請求項１７】
第１の映像信号に第２の映像信号を格納する映像信号処理方法であって、
前記第２の映像信号の１水平走査期間のクロックサイクル数をｕ（ｕは２以上の整数）で除算したときに、除算結果の整数部がｖ、当該除算結果の剰余がｚである場合に、各々がｖクロックサイクル分の前記第２の映像信号の情報を含む単数または複数の第１のモジュールと、各々が（ｖ＋ｘ（ｘは、ｘ≦ｚの整数））クロックサイクル分の前記第２の映像信号の情報を含む単数または複数の第２のモジュールとからなり、合計ｕ×ｖ＋ｚクロックサイクル分の前記第２の映像信号の情報が含まれるｕ個のモジュールと、前記第１のモジュールおよび前記第２のモジュールを識別する識別情報とを含み、単位クロックサイクル当たりの情報量が前記第２の映像信号の１／ｕ倍であり前記第１の映像信号と同じ周波数を有する前記第３の映像信号に前記第２の映像信号を変換し、
前記第１の映像信号に前記第３の映像信号を格納する
映像信号処理方法。
【請求項１８】
前記ｕ個のモジュールを、前記第１の映像信号のｕ個の水平走査期間のそれぞれに格納する
請求項１７に記載の映像信号処理方法。
【請求項１９】
アナログの映像信号をデジタルに変換して前記第２の映像信号を生成する
請求項１７に記載の映像信号処理方法。
【請求項２０】
第１の映像信号に対して第２の映像信号を変換して得られた第３の映像信号が格納されており、前記第３の映像信号が、前記第２の映像信号の１水平走査期間のクロックサイクル数をｕで除算したときに、除算結果の整数部がｖ、当該除算結果の剰余がｚである場合に、各々がｖクロックサイクル分の前記第２の映像信号の情報を含む単数または複数の第１のモジュールと、各々が（ｖ＋ｘ（ｘは、ｘ≦ｚの整数））クロックサイクル分の前記第２の映像信号の情報を含む単数または複数の第２のモジュールとからなり、合計ｕ×ｖ＋ｚクロックサイクル分の前記第２の映像信号の情報が含まれるｕ個のモジュールと、前記第１のモジュールおよび前記第２のモジュールを識別する識別情報とを含む場合に、前記第１の映像信号から前記第２の映像信号を復元する映像信号処理方法において、
前記第１の映像信号から前記第３の映像信号を分離し、
前記分離された第３の映像信号に含まれる前記識別情報を検出し、
前記識別情報の検出結果に基づいて、前記ｕ個のモジュールを用いて前記第２の映像信号を復元する
映像信号処理方法。
【請求項２１】
前記復元された第２の映像信号に応じた表示を行う
請求項２０に記載の映像信号処理方法。
【請求項２２】
前記第１の映像信号に応じた表示を行う
請求項２０に記載の映像信号処理方法。
【発明の詳細な説明】
【０００１】
【発明の属する技術分野】
本発明は、多様なフォーマットのプロンプタ信号をスイッチャなどからのリターン信号に格納できる映像信号処理装置、映像信号処理システムおよびそれらの方法に関する。
【０００２】
【従来の技術】
放送用あるいは業務用のビデオカメラと、ＣＣＵ(Camera Control Unit: カメラ制御ユニット) とを一体化してカメラシステムが構築されている。
ＣＣＵは、ビデオカメラからのビデオ信号を入力し、当該ビデオ信号に輪郭補正や色合わせ補正などの処理を行い、所定のフォーマットのビデオ信号を生成し、これをバスを介してスイッチャなどに出力する。
【０００３】
また、ＣＣＵは、バスを介してスイッチャなどから入力されたビデオ信号（以下、リターン信号とも記す）をビデオカメラに出力すると共に、所定の入力端子から入力されたプロンプタ信号をビデオカメラに出力する。ここで、プロンプタ信号は、ビデオカメラに接続されるプロンプタ用モニタ装置で表示する画像のビデオ信号である。
この場合に、配線数の削減などの観点から、リターン信号内にプロンプタ信号を組み込んでＣＣＵからビデオカメラに出力されることがある。
【０００４】
ところで、従前までは、ビデオカメラシステムは、ＮＴＳＣ(National Television System Committee)やＰＡＬ(Phase Alternation by line) などの標準テレビ方式のビデオ信号に対応していれば十分であったが、近年、テレビなどのビデオ信号の高画質化、多用途化およびデジタル化に伴い、ＨＤＴＶ(Hight Definition TV) 方式の１０８０／６０Ｉ、１０８０／５０Ｉおよび２４ｐｓＦなどの多様なフォーマットのビデオ信号が採用されるようになり、ビデオカメラシステムも多様なビデオ信号に対応するようになっている。
【０００５】
【発明が解決しようとする課題】
しかしながら、上述した従来のビデオカメラシステムで、簡単な構成で、多様なフォーマットのプロンプタ信号を多様なフォーマットのリターン信号に適宜、格納できないという問題がある。
【０００６】
本発明は上述した従来技術の問題点に鑑みてなされ、簡単な構成で、複数のフォーマットのプロンプタ信号を複数のフォーマットのリターン信号に適宜、格納できる映像信号処理装置、映像信号処理システムおよびその方法を提供することを目的とする。
【０００９】
また、第１の発明の映像信号処理装置は、好ましくは、前記処理回路は、複数のフォーマットの前記第１の映像信号に応じた処理が可能であり、前記第１の映像信号のフォーマットに応じて、前記第２の映像信号を前記第１の映像信号に格納する。
【００１３】
【課題を解決するための手段】
上述した従来技術の問題点を解決し、上述した目的を達成するために、第１の発明の映像処理装置は、第１の映像信号に第２の映像信号を格納する映像信号処理装置であって、前記第２の映像信号を、単位クロックサイクル当たりの情報量が前記第２の映像信号の１／ｕ（ｕは２以上の整数）倍であり前記第１の映像信号と同じ周波数を有する前記第３の映像信号に変換する変換回路と、前記第１の映像信号に前記第３の映像信号を格納する格納回路とを有し、前記変換回路は、前記第２の映像信号の１水平走査期間のクロックサイクル数をｕで除算したときに、除算結果の整数部がｖ、当該除算結果の剰余がｚである場合に、各々がｖクロックサイクル分の前記第２の映像信号の情報を含む単数または複数の第１のモジュールと、各々が（ｖ＋ｘ（ｘは、ｘ≦ｚの整数））クロックサイクル分の前記第２の映像信号の情報を含む単数または複数の第２のモジュールとからなり、合計ｕ×ｖ＋ｚクロックサイクル分の前記第２の映像信号の情報が含まれるｕ個のモジュールと、前記第１のモジュールおよび前記第２のモジュールを識別する識別情報とを含む前記第３の映像信号を生成する。
【００１４】
第２の発明の映像信号処理装置の作用は以下のようになる。
先ず、変換回路において、第２の映像信号を、単位クロックサイクル当たりの情報量が前記第２の映像信号の１／ｕ（ｕは２以上の整数）倍であり前記第１の映像信号と同じ周波数を有する前記第３の映像信号に変換する。このとき、前記変換回路では、前記第２の映像信号の１水平走査期間のクロックサイクル数をｕで除算したときに、除算結果の整数部がｖ、当該除算結果の剰余がｚである場合に、各々がｖクロックサイクル分の前記第２の映像信号の情報を含む単数または複数の第１のモジュールと、各々が（ｖ＋ｘ（ｘは、ｘ≦ｚの整数））クロックサイクル分の前記第２の映像信号の情報を含む単数または複数の第２のモジュールとからなり、合計ｕ×ｖ＋ｚクロックサイクル分の前記第２の映像信号の情報が含まれるｕ個のモジュールと、前記第１のモジュールおよび前記第２のモジュールを識別する識別情報とを含む前記第３の映像信号が生成される。次に、格納回路において、前記第１の映像信号に前記第３の映像信号が格納される。
【００１５】
また、第２の発明の映像信号処理装置は、好ましくは、前記格納回路は、前記ｕ個のモジュールを、前記第１の映像信号のｕ個の水平走査期間のそれぞれに格納する。
【００１６】
また、第２の発明の映像信号処理装置は、好ましくは、アナログの映像信号をデジタルに変換して前記第２の映像信号を生成する変換回路をさらに有する。
また、好ましくは、第１の映像信号はリターン信号であり、第２の映像信号はプロンプタ信号である。上記第２の映像信号は、４８フィールドまたは２４ｐｓＦ方式の映像信号である。上記ｕ個の水平走査期間の信号は連続する。上記ｖは６８７、上記ｘは１、上記ｕは４である。上記第１と第２のモジュールは４水平走査期間に交互に繰り替えす。第３の映像信号はデジタル信号で、上記第１の映像信号の１０ビットの下位に格納される。上記第３の映像信号は上記第１の映像信号と同じサンプリング周波数で２ビットで構成され、上記第１の映像信号の下位２ビットに格納される。
【００１７】
第３の発明の映像信号処理装置は、第１の映像信号に対して第２の映像信号を変換して得られた第３の映像信号が格納されており、前記第３の映像信号が、前記第２の映像信号の１水平走査期間のクロックサイクル数をｕで除算したときに、除算結果の整数部がｖ、当該除算結果の剰余がｚである場合に、各々がｖクロックサイクル分の前記第２の映像信号の情報を含む単数または複数の第１のモジュールと、各々が（ｖ＋ｘ（ｘは、ｘ≦ｚの整数））クロックサイクル分の前記第２の映像信号の情報を含む単数または複数の第２のモジュールとからなり、合計ｕ×ｖ＋ｚクロックサイクル分の前記第２の映像信号の情報が含まれるｕ個のモジュールと、前記第１のモジュールおよび前記第２のモジュールを識別する識別情報とを含む場合に、前記第１の映像信号から前記第２の映像信号を復元する映像信号処理装置であって、前記第１の映像信号から前記第３の映像信号を分離する分離回路と、前記分離された第３の映像信号に含まれる前記識別情報を検出する識別情報検出回路と、前記識別情報の検出結果に基づいて、前記ｕ個のモジュールを用いて前記第２の映像信号を復元する信号生成回路とを有する。
【００１８】
第３の発明の映像信号処理装置の作用は以下のようになる。
先ず、分離回路において、第１の映像信号から第３の映像信号が分離される。
次に、識別情報検出回路において、前記分離された第３の映像信号に含まれる前記識別情報が検出される。
次に、信号生成回路において、前記識別情報の検出結果に基づいて、前記ｕ個のモジュールを用いて前記第２の映像信号が復元される。
【００１９】
また、第３の発明の映像信号処理装置は、好ましくは、前記復元された第２の映像信号に応じた表示を行う表示手段をさらに有する。
【００２０】
また、第３の発明の映像信号処理装置は、好ましくは、前記第１の映像信号に応じた表示を行う表示手段をさらに有する。
【００２１】
また、第４の発明の映像信号処理システムは、撮像装置と、前記撮像装置の撮像結果に応じた映像信号を用いて、前記撮像装置に出力する第１の映像信号を生成する映像信号生成装置と、前記撮像装置と前記映像信号生成装置との間に介在する映像信号処理装置とを有し、前記映像信号処理装置は、第１の映像信号に第２の映像信号を格納する映像信号処理装置であって、前記第２の映像信号を、単位クロックサイクル当たりの情報量が前記第２の映像信号の１／ｕ（ｕは２以上の整数）倍であり前記第１の映像信号と同じ周波数を有する前記第３の映像信号に変換する変換回路と、前記第１の映像信号に前記第３の映像信号を格納する格納回路とを有し、前記変換回路は、前記第２の映像信号の１水平走査期間のクロックサイクル数をｕで除算したときに、除算結果の整数部がｖ、当該除算結果の剰余がｚである場合に、各々がｖクロックサイクル分の前記第２の映像信号の情報を含む単数または複数の第１のモジュールと、各々が（ｖ＋ｘ（ｘは、ｘ≦ｚの整数））クロックサイクル分の前記第２の映像信号の情報を含む単数または複数の第２のモジュールとからなり、合計ｕ×ｖ＋ｚクロックサイクル分の前記第２の映像信号の情報が含まれるｕ個のモジュールと、前記第１のモジュールおよび前記第２のモジュールを識別する識別情報とを含む前記第３の映像信号を生成する。
【００２２】
また、第４の発明の映像信号処理システムは、好ましくは、前記格納回路は、前記ｕ個のモジュールを、前記第１の映像信号のｕ個の水平走査期間のそれぞれに格納する。アナログの映像信号をデジタルに変換して前記第２の映像信号を生成する変換回路をさらに有する。
【００２３】
第４の発明の映像信号処理システムにおいて、好ましくは、前記撮像装置は、前記映像信号処理装置から入力された前記第３の映像信号から、前記第１の映像信号および前記第２の映像信号を分離する分離回路と、前記分離された第１の映像信号に応じた表示を行う第１の表示装置と、前記分離された第２の映像信号に応じた表示を行う第２の表示装置とを有する。
【００２４】
また、第５の発明の映像信号処理方法は、第１の映像信号に第２の映像信号を格納する映像信号処理方法であって、前記第２の映像信号の１水平走査期間のクロックサイクル数をｕ（ｕは２以上の整数）で除算したときに、除算結果の整数部がｖ、当該除算結果の剰余がｚである場合に、各々がｖクロックサイクル分の前記第２の映像信号の情報を含む単数または複数の第１のモジュールと、各々が（ｖ＋ｘ（ｘは、ｘ≦ｚの整数））クロックサイクル分の前記第２の映像信号の情報を含む単数または複数の第２のモジュールとからなり、合計ｕ×ｖ＋ｚクロックサイクル分の前記第２の映像信号の情報が含まれるｕ個のモジュールと、前記第１のモジュールおよび前記第２のモジュールを識別する識別情報とを含み、単位クロックサイクル当たりの情報量が前記第２の映像信号の１／ｕ倍であり前記第１の映像信号と同じ周波数を有する前記第３の映像信号に前記第２の映像信号を変換し、前記第１の映像信号に前記第３の映像信号を格納する。
【００２５】
また、第６の発明の映像信号処理方法は、第１の映像信号に対して第２の映像信号を変換して得られた第３の映像信号が格納されており、前記第３の映像信号が、前記第２の映像信号の１水平走査期間のクロックサイクル数をｕで除算したときに、除算結果の整数部がｖ、当該除算結果の剰余がｚである場合に、各々がｖクロックサイクル分の前記第２の映像信号の情報を含む単数または複数の第１のモジュールと、各々が（ｖ＋ｘ（ｘは、ｘ≦ｚの整数））クロックサイクル分の前記第２の映像信号の情報を含む単数または複数の第２のモジュールとからなり、合計ｕ×ｖ＋ｚクロックサイクル分の前記第２の映像信号の情報が含まれるｕ個のモジュールと、前記第１のモジュールおよび前記第２のモジュールを識別する識別情報とを含む場合に、前記第１の映像信号から前記第２の映像信号を復元する映像信号処理方法であって、前記第１の映像信号から前記第３の映像信号を分離し、前記分離された第３の映像信号に含まれる前記識別情報を検出し、前記識別情報の検出結果に基づいて、前記ｕ個のモジュールを用いて前記第２の映像信号を復元する。
【００２７】
【発明の実施の形態】
以下、本発明の実施形態に係わるビデオカメラシステムについて説明する。
図１は、本実施形態のビデオカメラシステム１の全体構成図である。
図１に示すように、ビデオカメラシステム１は、例えば、ビデオカメラ２1 〜２4 、ＣＣＵ３1 〜３4 、スイッチャ４を有する。
また、図２は、ビデオカメラ２1 とＣＣＵ３1 とスイッチャ４との間での信号の入出力関係を説明するための図である。
【００２８】
ここで、ビデオカメラシステム１が、第４の発明の映像信号処理システムに対応し、ビデオカメラ２1 〜２4 が第４の発明における撮像装置に対応し、ＣＣＵ３1 〜３4 が第４の発明における映像信号処理装置に対応し、スイッチャ４が第４の発明における映像信号生成装置に対応している。
また、ＣＣＵ３1 〜３4 が、第１の発明および第２の発明の映像信号処理装置に対応している。
また、ビデオカメラ２1 〜２4 が、第３の発明の映像信号処理装置に対応している。
【００２９】
ＣＣＵ３1 〜３4 
ＣＣＵ３1 〜３4 は、例えば、同じ構成をしている。
以下、ＣＣＵ３1 について詳細に説明する。
図３は、ＣＣＵ３1 におけるリターン信号生成処理に係わるの機能の機能ブロック図である。
図３に示すように、ＣＣＵ３1 は、Ａ／Ｄ変換部２０、プロンプタ信号処理部２１、多重化部２２、送信部２３および制御部２４を有する。
ここで、プロンプタ信号処理部２１および多重化部２２が、第１の発明の処理回路に対応している。
また、プロンプタ信号処理部２１が第２の発明の変換回路に対応し、多重化部２２が第２の発明の格納回路に対応している。
【００３０】
図２に示すように、ＣＣＵ３1 は、スイッチャ４から入力されたリターン信号Ｓ４1 にプロンプタ信号Ｓ６1 を格納してリターン信号Ｓ３ｂ1 を生成し、これをバスを介してビデオカメラ２1 に出力する。
ここで、リターン信号Ｓ４1 等が第１の発明等の第１の映像信号に対応し、プロンプタ信号Ｓ６1 等が第１の発明等の第２の映像信号に対応し、リターン信号Ｓ３ｂ1 等が、第２の発明等の第３の映像信号に対応している。
【００３１】
なお、ＣＣＵ３1 は、以下に示すリターン信号生成処理の他に、バスを介してビデオカメラ２1 から入力されたビデオ信号Ｓ２ｃ1 に輪郭補正や色合わせ補正などの処理を行い、所定のフォーマットのビデオ信号Ｓ３ａ1 を生成し、これをスイッチャ４などに出力する処理を行う。
【００３２】
〔Ａ／Ｄ変換部２０〕
Ａ／Ｄ変換部２０には、図示しないアナログ入力端子から、アナログのプロンプタ輝度信号Ｓ６1 ＿Ｙおよびプロンプタ色差信号Ｓ６1 ＿Ｃが入力される。プロンプタ輝度信号Ｓ６1 ＿Ｙおよびプロンプタ色差信号Ｓ６1 ＿Ｃは、スイッチャ４、あるいはスイッチャ４とは別の装置によって生成される。プロンプタ輝度信号Ｓ６1 ＿Ｙおよびプロンプタ色差信号Ｓ６1 ＿Ｃのフォーマットについては後述する。
Ａ／Ｄ変換部２０は、プロンプタ輝度信号Ｓ６1 ＿Ｙおよびプロンプタ色差信号Ｓ６1 ＿ＣをＡ／Ｄ変換して、それぞれ１８ＭＨｚ、８ビットのデジタルのプロンプタ輝度信号Ｓ２０＿Ｙおよびプロンプタ色差信号Ｓ２０＿Ｃを生成し、これらをプロンプタ信号処理部２１に出力する。
【００３３】
〔プロンプタ信号処理部２１〕
図４は、プロンプタ信号処理部２１の構成図である。
図４に示すように、プロンプタ信号処理部２１は、例えば、変換部４０、変換部４１およびＩＤ付加部４２を有する。
変換部４０、変換部４１およびＩＤ付加部４２は、図３に示す制御部２４による制御に基づいて、プロンプタ輝度信号Ｓ２０＿Ｙおよびプロンプタ色差信号Ｓ２０＿Ｃのフォーマットに応じた以下に示す処理を行う。
【００３４】
変換部４０は、例えば、ＦＩＦＯ(First In First Out)回路を有し、Ａ／Ｄ変換部２０からの図５（Ａ）に示す１８ＭＨｚ、８ビットのプロンプタ輝度信号Ｓ２０＿Ｙおよびプロンプタ色差信号Ｓ２０＿Ｃを当該ＦＩＦＯ回路に書き込み、約２倍の周波数３７ＭＨｚで当該ＦＩＦＯ回路から読み出すことで、図５（Ｂ）に示す３７ＭＨｚ、８ビットのプロンプタ輝度信号Ｓ４０＿Ｙおよびプロンプタ色差信号Ｓ４０＿Ｃを生成する。
【００３５】
変換部４１は、図５（Ｂ）に示す３７ＭＨｚ、８ビットのプロンプタ輝度信号Ｓ４０＿Ｙおよびプロンプタ色差信号Ｓ４０＿Ｃを、図５（Ｃ）に示す７４ＭＨｚ、２ビット、２チャンネル×２のプロンプタ輝度信号Ｓ４１＿Ｙおよびプロンプタ色差信号Ｓ４１＿Ｃに変換する。
【００３６】
このように、プロンプタ信号処理部２１では、８ビットのプロンプタ輝度信号Ｓ２０＿Ｙおよびプロンプタ色差信号Ｓ２０＿Ｃを、２ビット、２ｃｈ×２のプロンプタ輝度信号Ｓ２１＿Ｙおよびプロンプタ色差信号Ｓ２１＿Ｃに変換し、後段の多重化部２２において、これらをリターン輝度信号Ｓ４1 ＿Ｙおよびリターン色差信号Ｓ４1 ＿Ｃの下位２（＝ｔ）ビットに格納する。
このとき、１ライン分（１水平走査期間内）のプロンプタ輝度信号Ｓ２０＿Ｙおよびプロンプタ色差信号Ｓ２０＿Ｃは均等あるいは略均等に４（＝ｕ）分割され、４ライン分（４水平走査期間内）のリターン輝度信号Ｓ４1 ＿Ｙおよびリターン色差信号Ｓ４1 ＿Ｃに分けて格納される。
【００３７】
ところで、プロンプタ輝度信号Ｓ６1 ＿Ｙおよびプロンプタ色差信号Ｓ６1 ＿Ｃには、例えば、６０フィールド方式、５０フィールド方式、４０フィールド方式および２３ｐｓＦ方式がある。
ここで、プロンプタ輝度信号Ｓ６1 ＿Ｙおよびプロンプタ色差信号Ｓ６1 ＿Ｃの１水平走査期間のクロックサイクルは、６０フィールド方式の場合には２２００クロックサイクル、５０フィールド方式の場合には２６４０クロックサイクル、４８フィールド方式および２４ｐｓＦ方式の場合には２７５０クロックサイクルである。
この場合に、１水平走査期間を４分割したクロックサイクルを求めるために、１水平走査期間のクロックサイクルを４で除算すると、その除算結果の整数部および剰余は以下になる。
６０フィールド方式：２２００／４＝整数部ｖ：５５０、剰余ｚ：０、
５０フィールド方式：２６４０／４＝整数部ｖ：６６０、剰余ｚ：０、
４８フィールド方式
および２４ｐｓＦ方式：２７５０／４＝整数部ｖ：６８７、剰余ｚ：２。
【００３８】
６０フィールド方式の場合には、図４に示す変換部５０において、図６（Ｂ）に示すように、５５０クロックサイクル（ＣＬＫ）分の１８ＭＨｚ、８ビットのプロンプタ輝度信号Ｓ２０＿Ｙおよびプロンプタ色差信号Ｓ２０＿Ｃが、図６（Ｃ）に示すように、３７ＭＨｚ、８ビットのプロンプタ輝度信号Ｓ４０＿Ｙおよびプロンプタ色差信号Ｓ４０＿Ｃに変換され、続いて、変換部５１において、図５（Ｃ）および図６（Ｄ）に示すように、７４ＭＨｚ、２ビット、２チャンネル×２のプロンプタ輝度信号Ｓ４１＿Ｙおよびプロンプタ色差信号Ｓ４１＿Ｃに変換される。
そして、６０フィールド方式の場合には、１水平走査期間のクロックサイクルを４で除算したときに剰余が生じないため、後段の多重化部２２では、７４ＭＨｚのリターン輝度信号Ｓ４1 ＿Ｙおよびリターン色差信号Ｓ４1 ＿Ｃの１水平走査期間内に、それぞれ５５０クロックサイクル分（１／４Ｈ分）の１８ＭＨｚ、８ビットのプロンプタ輝度信号Ｓ２０＿Ｙおよびプロンプタ色差信号Ｓ２０＿Ｃの情報が格納される。
【００３９】
５０フィールド方式の場合には、図４に示す変換部５０において、図７（Ｂ）に示すように、６６０クロックサイクル（ＣＬＫ）分の１８ＭＨｚ、８ビットのプロンプタ輝度信号Ｓ２０＿Ｙおよびプロンプタ色差信号Ｓ２０＿Ｃが、図７（Ｃ）に示すように、３７ＭＨｚ、８ビットのプロンプタ輝度信号Ｓ４０＿Ｙおよびプロンプタ色差信号Ｓ４０＿Ｃに変換され、続いて、変換部５１において、図５（Ｃ）および図７（Ｄ）に示すように、７４ＭＨｚ、２ビット、２チャンネル×２のプロンプタ輝度信号Ｓ４１＿Ｙおよびプロンプタ色差信号Ｓ４１＿Ｃに変換される。
そして、５０フィールド方式の場合には、１水平走査期間のクロックサイクルを４で除算したときに剰余が生じないため、後段の多重化部２２では、７４ＭＨｚのリターン輝度信号Ｓ４1 ＿Ｙおよびリターン色差信号Ｓ４1 ＿Ｃの１水平走査期間内に、それぞれ６６０クロックサイクル分（１／４Ｈ分）の１８ＭＨｚ、８ビットのプロンプタ輝度信号Ｓ２０＿Ｙおよびプロンプタ色差信号Ｓ２０＿Ｃの情報が格納される。
【００４０】
また、４８フィールド方式および２４ｐｓＦ方式の場合には、図４に示す変換部５０において、図８（Ｂ）に示すように、６８７（＝ｖ）および６８８（＝ｖ＋ｘ（ｘはｘ≦ｚの整数））クロックサイクル（ＣＬＫ）分の１８ＭＨｚ、８ビットのプロンプタ輝度信号Ｓ２０＿Ｙおよびプロンプタ色差信号Ｓ２０＿Ｃが、図８（Ｃ）に示すように、３７ＭＨｚ、８ビットのプロンプタ輝度信号Ｓ４０＿Ｙおよびプロンプタ色差信号Ｓ４０＿Ｃに変換され、続いて、変換部５１において、図５（Ｃ）および図８（Ｄ）に示すように、７４ＭＨｚ、２ビット、２チャンネル×２のプロンプタ輝度信号Ｓ４１＿Ｙおよびプロンプタ色差信号Ｓ４１＿Ｃに変換される。
【００４１】
ここで、４８フィールド方式および２４ｐｓＦ方式の場合には、１水平走査期間のクロックサイクルを４で除算したときに剰余が「２」となるため、後段の多重化部２２では、７４ＭＨｚのリターン輝度信号Ｓ４1 ＿Ｙおよびリターン色差信号Ｓ４1 ＿Ｃの１水平走査期間内に、適宜、６８７および６８８クロックサイクル分の１８ＭＨｚ、８ビットのプロンプタ輝度信号Ｓ２０＿Ｙおよびプロンプタ色差信号Ｓ２０＿Ｃの情報が格納される。
すなわち、リターン輝度信号Ｓ４1 ＿Ｙおよびリターン色差信号Ｓ４1 ＿Ｃの４水平走査期間のうち２水平走査期間に６８７クロックサイクル分の１８ＭＨｚ、８ビットのプロンプタ輝度信号Ｓ２０＿Ｙおよびプロンプタ色差信号Ｓ２０＿Ｃの情報がそれぞれ格納され、残りの２水平走査期間に６８８クロックサイクル分の１８ＭＨｚ、８ビットのプロンプタ輝度信号Ｓ２０＿Ｙおよびプロンプタ色差信号Ｓ２０＿Ｃの情報がそれぞれ格納される。
【００４２】
ＩＤ付加部４２は、４８フィールド方式および２４ｐｓＦ方式のプロンプタ信号を伝送する場合に、図８（Ｄ）に示すプロンプタ輝度信号Ｓ４１＿Ｙおよびプロンプタ色差信号Ｓ４１＿Ｃ内の１８ＭＨｚの６８７クロックサイクル分の情報からなるモジュールＭｏｄ＿Ａ（第２の発明等の第１のモジュール）に対して識別情報ＩＤ（ＦＦ）を付加し、１８ＭＨｚの６８８クロックサイクル分の情報からなるモジュールＭｏｄ＿Ｂ（第２の発明等の第２のモジュール）に対して識別情報ＩＤ（００）を付加してプロンプタ輝度信号Ｓ２１＿Ｙおよびプロンプタ色差信号Ｓ２１＿Ｃを生成する。
一方、ＩＤ付加部４２は、５０フィールド方式および６０フィールド方式の場合には、変換部４１からのプロンプタ輝度信号Ｓ４１＿Ｙおよびプロンプタ色差信号Ｓ４１＿Ｃを、それぞれプロンプタ輝度信号Ｓ２１＿Ｙおよびプロンプタ色差信号Ｓ２１＿Ｃとしてそのまま出力する。
【００４３】
〔多重化部２２〕
多重化部２２は、制御部２４からの制御に基づいて、リターン輝度信号Ｓ４1 ＿Ｙ、リターン色差信号Ｓ４1 ＿Ｃ、プロンプタ輝度信号Ｓ２１＿Ｙおよびプロンプタ色差信号Ｓ２１＿Ｃのフォーマットに応じて、図５（Ｃ）に示す７４ＭＨｚ、２ビットのプロンプタ輝度信号Ｓ２１＿Ｙおよびプロンプタ色差信号Ｓ２１＿Ｃを、図１に示すスイッチャ４から入力された７４ＭＨｚ、１０ビットのリターン輝度信号Ｓ４1 ＿Ｙおよびリターン色差信号Ｓ４1 ＿Ｃの下位２ビットに格納して、図３（Ｄ）に示すリターン輝度信号Ｓ２２＿Ｙおよびリターン色差信号Ｓ２２＿Ｃを生成する。
ここで、リターン輝度信号Ｓ４1 ＿Ｙおよびリターン色差信号Ｓ４1 ＿Ｃとしては、ＨＤＴＶ方式の１０８０／６０Ｉ、１０８０／５０Ｉおよび２４ｐｓＦなどのフォーマットが採用される。
【００４４】
〔送信部２３〕
送信部２３は、制御部２４からの制御に基づいて、多重化部２２から入力されたリターン輝度信号Ｓ２２＿Ｙおよびリターン色差信号Ｓ２２＿Ｃを、シリアルなリターン信号Ｓ３ｂ1 として図１および図２に示すビデオカメラ２1 に送信する。
【００４５】
〔制御部２４〕
制御部２４は、入力されたフォーマット指定信号Ｓ６０に基づいて、指定されたフォーマットに応じた処理を行うように、プロンプタ信号処理部２１、多重化部２２および送信部２３を制御する。ここで、フォーマット指定信号Ｓ６０では、リターン輝度信号Ｓ４1 ＿Ｙおよびリターン色差信号Ｓ４1 ＿Ｃのフォーマット、並びにプロンプタ輝度信号Ｓ２１＿Ｙおよびプロンプタ色差信号Ｓ２１＿Ｃのフォーマットが指定される。
【００４６】
スイッチャ４
スイッチャ４は、ＣＣＵ３1 〜３4 を介して、ビデオカメラ２1 〜２4 が出力した撮像結果に応じたビデオ信号を入力し、これらを用いて放送用の映像信号を生成する。
例えば、ＣＣＵ３1 からスイッチャ４には、図２に示すように、ビデオ信号Ｓ２ｃ1 に応じたビデオ信号Ｓ３ａ1 が出力される。
また、スイッチャ４は、例えば、放送用の映像信号をリターン信号としてＣＣＵ３1 〜３4 に出力する。
例えば、スイッチャ４からＣＣＵ３1 には、リターン信号Ｓ４1 が出力される。
【００４７】
ビデオカメラ２1 〜２4 
ビデオカメラ２1 〜２4 は、例えば、ＨＤＴＶ用のビデオカメラであり、撮像結果に応じた１０８０／６０Ｉ、１０８０／５０Ｉおよび２４ｐｓＦのフォーマットのビデオ信号をユーザによる指定操作に基づいて選択的に生成する。
ここで、ビデオカメラ２1 〜２4 は、例えば、同じ構成をしている。
以下、ビデオカメラ２1 について詳細に説明する。
図２に示すように、ビデオカメラ２1 は、ビューファインダ１０を有する。
ビューファインダ１０は、ＣＣＵ３1 からのリターン信号Ｓ３ｂ1 から生成したリターン信号Ｓ２ａ1 に応じた画像と、ビデオカメラ２1 の撮像結果のビデオ信号Ｓ２ｂ1 に応じた画像とを選択的あるいは同時に表示する。ビューファインダ１０の表示は、例えば、ビデオカメラ２1 の操作者が見る。
また、ビデオカメラ２1 には、所定の端子を介してプロンプタ用表示装置１１が接続される。
プロンプタ用表示装置１１は、ビデオカメラ２1 から入力したプロンプタ信号Ｓ２ｃ1 に応じた画像を表示する。プロンプタ用表示装置１１は、例えば、ビデオカメラ２1 が搭載されたクレーンを操作する操作者の近傍に配設されている。
【００４８】
図９は、ビデオカメラ２1 の機能のうちリターン信号の処理に係わる機能の機能ブロック図である。
図９に示すように、ビデオカメラ２1 は、例えば、受信部７０、分離部７１、ＩＤ検出部７２、プロンプタ信号生成部７３および制御部７４を有する。
ここで、分離部７１が本発明の分離回路に対応し、ＩＤ検出部７２が本発明の識別情報検出回路に対応し、プロンプタ信号生成部７３が本発明の信号生成回路に対応している。
受信部７０は、制御部７４からの制御に基づいて、図２に示すＣＣＵ３1 から入力されたリターン信号Ｓ３ｂ1 を分離部７１に出力する。
【００４９】
分離部７１は、制御部７４による制御に基づいて、受信部７０から入力されたリターン信号Ｓ３ｂ1 の分離処理を行う。
具体的には、分離部７１は、リターン信号Ｓ３ｂ1 に含まれる図３に示すＣＣＵ３1 の多重化部２２で多重化されたリターン輝度信号Ｓ２２＿Ｙを分離して、リターン輝度信号Ｓ４1 ＿Ｙおよびプロンプタ輝度信号Ｓ２１＿Ｙを生成する。
また、分離部７１は、リターン信号Ｓ３ｂ1 に含まれる図３に示すＣＣＵ３1 の多重化部２２で多重化されたリターン色差信号Ｓ２２＿Ｃを分離して、リターン色差信号Ｓ４1 ＿Ｃおよびプロンプタ色差信号Ｓ２１＿Ｃを生成する。
分離部７１は、リターン輝度信号Ｓ４1 ＿Ｙおよびリターン色差信号Ｓ４1 ＿Ｃをリターン信号Ｓ２ａ1 として図２に示すビューファインダ１０に出力する。
また、分離部７１は、プロンプタ輝度信号Ｓ２１＿Ｙおよびプロンプタ色差信号Ｓ２１＿Ｃを、ＩＤ検出部７２およびプロンプタ信号生成部７３に出力する。
【００５０】
ＩＤ検出部７２は、制御部７４による制御に基づいて、例えば、４８フィールド方式および２４ｐｓＦ方式のプロンプタ信号が伝送された場合に、プロンプタ輝度信号Ｓ２１＿Ｙおよびプロンプタ色差信号Ｓ２１＿Ｃに含まれる図８（Ｄ）に示す識別情報ＩＤ（ＦＦ），ＩＤ（００）を検出し、当該検出したタイミングおよび識別情報を示す検出信号Ｓ７２をプロンプタ信号生成部７３に出力する。
【００５１】
プロンプタ信号生成部７３は、制御部７４による制御に基づいて、６０フィールド方式および５０フィールド方式のプロンプタ信号が伝送された場合には、リターン信号Ｓ３ｂ1 の連続した４水平走査期間内に格納されたプロンプタ輝度信号Ｓ２１＿Ｙおよびプロンプタ色差信号Ｓ２１＿Ｃを用いて１水平走査期間のプロンプタ輝度信号およびプロンプタ色差信号を生成すると共に、必要に応じて所定の周波数変換を行ってプロンプタ信号Ｓ２ｃ1 を生成する。
また、制御部７４による制御に基づいて、４８フィールド方式および２４ｐｓＦ方式のプロンプタ信号が伝送された場合には、検出信号Ｓ７２に基づいて、図８（Ｅ）に示すモジュールＭｏｄ＿ＡおよびＭｏｄ＿Ｂを識別しながら、リターン信号Ｓ３ｂ1 の連続した４水平走査期間内に格納されたプロンプタ輝度信号Ｓ２１＿Ｙおよびプロンプタ色差信号Ｓ２１＿Ｃを用いて１水平走査期間のプロンプタ輝度信号およびプロンプタ色差信号を生成すると共に、必要に応じて所定の周波数変換を行ってプロンプタ信号Ｓ２ｃ1 を生成する。
【００５２】
プロンプタ信号生成部７３は、プロンプタ信号Ｓ２ｃ1 を図２に示すプロンプタ用表示装置１１に出力する。
【００５３】
制御部７４は、リターン信号Ｓ３ｂ1 のフォーマット、並びにリターン信号Ｓ３ｂ1 に格納されたプロンプタ信号のフォーマットに応じて、受信部７０、分離部７１、ＩＤ検出部７２およびプロンプタ信号生成部７３の処理を制御する。
【００５４】
以下、ビデオカメラシステム１の動作例を説明する。
当該動作例では、例えば、ビデオカメラ２1 が１０８０／６０Ｉフォーマットで動作し、スイッチャ４からＣＣＵ３1 に１０８０／６０Ｉフォーマットのリターン信号Ｓ４1 が出力され、ＣＣＵ３1 に、４８フィールド方式および２４ｐｓＦ方式のプロンプタ信号Ｓ６1 が入力された場合の動作を説明する。
この場合には、図３に示すＡ／Ｄ変換部２０において、スイッチャ４から入力されたプロンプタ輝度信号Ｓ６1 ＿Ｙおよびプロンプタ色差信号Ｓ６1 ＿ＣがＡ／Ｄ変換され、それぞれ１８ＭＨｚ、８ビットのデジタルのプロンプタ輝度信号Ｓ２０＿Ｙおよびプロンプタ色差信号Ｓ２０＿Ｃが生成される。
【００５５】
次に、プロンプタ信号処理部２１において、図８（Ｂ）に示すプロンプタ輝度信号Ｓ２０＿Ｙおよびプロンプタ色差信号Ｓ２０＿Ｃが、図８（Ｅ）に示すように、ＩＤが付加されたプロンプタ輝度信号Ｓ２１＿Ｙおよびプロンプタ色差信号Ｓ２１＿Ｃに変換される。
【００５６】
次に、多重化部２２において、図５（Ｃ）に示す７４ＭＨｚ、２ビットのプロンプタ輝度信号Ｓ２１＿Ｙおよびプロンプタ色差信号Ｓ２１＿Ｃが、図１に示すスイッチャ４から入力された７４ＭＨｚ、１０ビットのリターン輝度信号Ｓ４1 ＿Ｙおよびリターン色差信号Ｓ４1 ＿Ｃの下位２ビットに格納され、図５（Ｄ）に示すリターン輝度信号Ｓ２２＿Ｙおよびリターン色差信号Ｓ２２＿Ｃが生成される。
【００５７】
次に、送信部２３によって、リターン輝度信号Ｓ２２＿Ｙおよびリターン色差信号Ｓ２２＿Ｃがシリアルに、リターン信号Ｓ３ｂ1 として図１に示すビデオカメラ２に出力される。
【００５８】
次に、図９に示すビデオカメラ２1 の受信部７０によって、リターン信号Ｓ３ｂ1 が分離部７１に出力される。
そして、分離部７１において、リターン信号Ｓ３ｂ1 が、リターン輝度信号Ｓ４1 ＿Ｙ、リターン色差信号Ｓ４1 ＿Ｃ、プロンプタ輝度信号Ｓ２１＿Ｙおよびプロンプタ色差信号Ｓ２１＿Ｃに分離される。
そして、リターン輝度信号Ｓ４1 ＿Ｙおよびリターン色差信号Ｓ４1 ＿Ｃがリターン信号Ｓ２ａ1 として、分離部７１から図２に示すビューファインダ１０に出力される。
また、プロンプタ輝度信号Ｓ２１＿Ｙおよびプロンプタ色差信号Ｓ２１＿Ｃが、分離部７１からＩＤ検出部７２およびプロンプタ信号生成部７３に出力される。
【００５９】
次に、ＩＤ検出部７２において、プロンプタ輝度信号Ｓ２１＿Ｙおよびプロンプタ色差信号Ｓ２１＿Ｃに含まれる図８（Ｄ）に示す識別情報ＩＤ（ＦＦ），ＩＤ（００）が検出され、当該検出されたタイミングおよび識別情報を示す検出信号Ｓ７２がプロンプタ信号生成部７３に出力される。
【００６０】
次に、プロンプタ信号生成部７３において、検出信号Ｓ７２に基づいて、図８（Ｅ）に示すモジュールＭｏｄ＿ＡおよびＭｏｄ＿Ｂを識別しながら、リターン信号Ｓ３ｂ1 の連続した４水平走査期間内に格納されたプロンプタ輝度信号Ｓ２１＿Ｙおよびプロンプタ色差信号Ｓ２１＿Ｃを用いて１水平走査期間のプロンプタ輝度信号およびプロンプタ色差信号が生成される共に、必要に応じて所定の周波数変換が行われてプロンプタ信号Ｓ２ｃ1 が生成される。
プロンプタ信号Ｓ２ｃ1 はプロンプタ信号生成部７３から図２に示すプロンプタ用表示装置１１に出力され、プロンプタ用表示装置１１においてプロンプタ信号Ｓ２ｃ1 に応じた表示が行われる。
【００６１】
上述した動作例では、１０８０／６０Ｉフォーマットのリターン信号Ｓ４1 が出力され、ＣＣＵ３1 に、４８フィールド方式および２４ｐｓＦ方式のプロンプタ信号Ｓ６1 が入力された場合の動作を例示したが、リターン信号Ｓ４1 およびプロンプタ信号Ｓ６1 としては、前述したその他の任意のフォーマットを選択的に採用できる。
【００６２】
以上説明したように、ビデオカメラシステム１によれば、プロンプタ信号Ｓ６1 の１ラインを４分割してリターン信号Ｓ３ａ1 の下位２ビットに格納するときに、プロンプタ信号Ｓ６1 の水平走査期間のクロックサイクルが４で割り切れない場合でも、プロンプタ信号Ｓ６1 をリターン信号Ｓ３ａ1 の下位２ビットに格納し、プロンプタ信号Ｓ６1 をビデオカメラ２1 において適切に復元できる。
そのため、ビデオカメラシステム１によれば、ＣＣＵ３1 〜３4 において、４８フィールド方式および２４ｐｓＦ方式のプロンプタ信号を、スイッチャ４からのリターン信号に格納してビデオカメラ２1 に伝送できる。
【００６３】
また、ビデオカメラシステム１によれば、プロンプタ信号の伝送についても、ＨＤＴＶ方式の１０８０／６０Ｉ、１０８０／５０Ｉおよび２４ｐｓＦのリターン信号、並びに６０フィールド方式、５０フィールド方式、４０フィールド方式および２３ｐｓＦ方式のプロンプタ信号のいずれに対しても簡単な構成のＣＣＵ３1 〜３4 を用いて対応できる。
【００６４】
本発明は上述した実施形態には限定されない。
例えば、上述した実施形態では、ＨＤＴＶ方式のリターン信号を例示したが、ＮＴＳＣ方式やＰＡＬ方式のリターン信号を用いてもよい。また、プロンプタ信号の方式の特に限定されない。
【００６５】
また、上述した実施形態では、本発明におけるｓ＝８、ｔ＝２、ｕ＝４、ｖ＝６８７、ｘ＝１、ｚ＝２の場合を例示したが、ｓ，ｔ，ｕ，ｖ，ｘ，ｚは、それ以外の値であってもよい。
【００６６】
【発明の効果】
以上説明したように、本発明によれば、複数のフォーマットの第２の映像信号（プロンプタ信号）を第１の映像信号（リターン信号）に適宜、格納できる。
また、本発明によれば、第２の映像信号を複数のフォーマットの第１の映像信号に適宜、格納できる。
【図面の簡単な説明】
【図１】図１は、本発明実施形態のビデオカメラシステムの全体構成図である。
【図２】図２は、図１に示すビデオカメラ、ＣＣＵおよびスイッチャの間で入出力される信号を説明するための図である。
【図３】図３は、図１に示すＣＣＵにおけるリターン信号生成処理に係わるの機能の機能ブロック図である。
【図４】図４は、図３に示すプロンプタ信号処理部の構成図である。
【図５】図５は、図３に示すプロンプタ信号処理部における処理を説明するための図である。
【図６】図６は、６０フィールド方式のプロンプタ信号を用いた場合の図３に示すプロンプタ信号処理部の処理を説明するための図である。
【図７】図７は、５０フィールド方式のプロンプタ信号を用いた場合の図３に示すプロンプタ信号処理部の処理を説明するための図である。
【図８】図８は、４８フィールド方式および２４ｐｓＦ方式のプロンプタ信号を用いた場合の図３に示すプロンプタ信号処理部の処理を説明するための図である。
【図９】図９は、図１に示すビデオカメラの機能のうちリターン信号の処理に係わる機能の機能ブロック図である。
【符号の説明】
１…ビデオカメラシステム、２1 〜２4 …ビデオカメラ、３1 〜３4 …ＣＣＵ、４…スイッチャ、１０…ビューファインダ、１１…プロンプタ用表示装置、２０…Ａ／Ｄ変換部、２１…プロンプタ信号処理部、２２…多重化部、２３…送信部、２４…制御部、４０…変換部、４１…変換部、４２…ＩＤ付加部、７０…受信部、７１…分離部、７２…ＩＤ検出部、７３…プロンプタ信号生成部、７４…制御部
【図１】
0004432204.tif 000002
【図２】
0004432204.tif 000003
【図３】
0004432204.tif 000004
【図４】
0004432204.tif 000005
【図５】
0004432204.tif 000006
【図６】
0004432204.tif 000007
【図７】
0004432204.tif 000008
【図８】
0004432204.tif 000009
【図９】
0004432204.tif 000010